(57)【要約】核放射線カメラに、ユーザがデータファイルを容易に理解、修正及び交換するのを可能にするような公開され且つ柔軟なソフトウェアアーキテクチャが設けられる。構成された実施例において、上記ソフトウェアアーキテクチャは、ユーザが容易に利用可能なツール及びビューアにより定義及び読みとることができるようなｘｍｌファイルを使用する。このようにして、制御データ及び画像データの両者をフォーマットすることができる。解説されるソフトウェアアーキテクチャは、製造者により供給されるｘｍｌ制御ファイルのディレクトリと、ユーザにより修正又は作成されたｘｍｌ制御ファイルとを含んでいる。このソフトウェアアーキテクチャは、ユーザがプロトコル及び画像情報をインターネットのような通常の通信ネットワークを介して交換するのを可能にする。
2005501232.tif 000002
【特許請求の範囲】
【請求項１】
放射性核種イベントデータを収集する検出器と、
前記イベントデータを処理して画像データを生成する画像プロセッサと、
前記画像データを記憶する画像データ記憶媒体と、
前記画像データを拡張可能な且つ公開されたデータフォーマットで前記記憶媒体に記憶するようにフォーマットする画像データプロセッサと、
を有する核放射線カメラシステム。
【請求項２】
請求項１に記載の核放射線カメラシステムにおいて、前記画像データプロセッサが前記画像データをｘｍｌフォーマットでフォーマットすることを特徴とする核放射線カメラシステム。
【請求項３】
請求項１又は請求項２に記載の核放射線カメラシステムにおいて、前記データフォーマットが自己記述的であることを特徴とする核放射線カメラシステム。
【請求項４】
請求項３に記載の核放射線カメラシステムにおいて、前記データフォーマットが前記画像データと共に利用可能なフォーマット定義を更に有していることを特徴とする核放射線カメラシステム。
【請求項５】
請求項４に記載の核放射線カメラシステムにおいて、フォーマット定義が２以上の画像データ間の関係を記述することを特徴とする核放射線カメラシステム。
【請求項６】
請求項５に記載の核放射線カメラシステムにおいて、前記画像データは画像データファイルに記憶され、該画像データファイルは前記データフォーマットの定義を記憶したファイルに対するポインタを含んでいることを特徴とする核放射線カメラシステム。
【請求項７】
請求項６に記載の核放射線カメラシステムにおいて、前記ポインタは当該核放射線カメラシステムに記憶されたファイルのアドレスに対するものであることを特徴とする核放射線カメラシステム。
【請求項８】
請求項６に記載の核放射線カメラシステムにおいて、前記ポインタは前記画像データフォーマット定義ファイルが見付けられ得るＵＲＬアドレスに対するものであることを特徴とする核放射線カメラシステム。
【請求項９】
請求項６に記載の核放射線カメラシステムにおいて、前記画像データファイルは<image.xml>の形態のものであり、前記画像データフォーマット定義ファイルは<image.dtd>の形態のものであることを特徴とする核放射線カメラシステム。
【請求項１０】
放射性核種イベントデータを収集する検出器と、
前記イベントデータを処理して画像データを生成する画像プロセッサと、
前記検出器を制御して、調査プロトコルに従いイベントデータを収集する収集コントローラと、
前記収集コントローラに結合されて、制御データを拡張可能な且つ公開されたデータフォーマットで記憶する制御データ記憶媒体と、
を有する核放射線カメラシステム。
【請求項１１】
請求項１０に記載の核放射線カメラシステムにおいて、前記制御データがｘｍｌフォーマットで記憶されることを特徴とする核放射線カメラシステム。
【請求項１２】
請求項１１に記載の核放射線カメラシステムにおいて、前記制御データが、プロトコルデータ、コリメータデータ、アイソトープデータ及びエネルギウインドウデータのうちの少なくとも１つを有していることを特徴とする核放射線カメラシステム。
【請求項１３】
請求項１２に記載の核放射線カメラシステムにおいて、前記制御データが、protocols.xml、collimators.xml、isotopes.xml及びenergywindows.xmlの形態のうちの少なくとも１つのものであることを特徴とする核放射線カメラシステム。
【請求項１４】
請求項１２に記載の核放射線カメラシステムにおいて、前記収集コントローラは、ｘｍｌファイルを使用するスクリプトを実行して前記イベントデータの収集を制御することを特徴とする核放射線カメラシステム。
【請求項１５】
請求項１４に記載の核放射線カメラシステムにおいて、前記スクリプトにより使用される前記ｘｍｌファイルは<protocol.xml>なる形態のプロトコルファイルであることを特徴とする核放射線カメラシステム。
【請求項１６】
請求項１３に記載の核放射線カメラシステムにおいて、ｘｍｌファイルが、protocols.dtd、collimators.dtd、isotopes.dtd及びenergywindows.dtdの形態のうちの少なくとも１つのフォーマット定義ファイルを指し示すことを核放射線カメラシステム。
【請求項１７】
放射性核種イベントデータを収集する検出器と、
前記イベントデータを処理して画像データを生成する画像プロセッサと、
前記検出器を制御して、調査プロトコルに従いイベントデータを収集する収集コントローラと、
前記収集コントローラに結合されて制御データをｘｍｌフォーマットで記憶する制御データ記憶媒体であって、該制御データが前記カメラシステムの製造者により提供されるｘｍｌファイル及び前記カメラのユーザにより変更又は作成されたｘｍｌファイルを有するような制御データ記憶媒体と、
を有する核放射線カメラシステム。
【請求項１８】
請求項１７に記載の核放射線カメラシステムにおいて、前記画像プロセッサに結合されて画像データをｘｍｌフォーマットで記憶する画像データ記憶媒体を更に有していることを特徴とする核放射線カメラシステム。
【請求項１９】
請求項１８に記載の核放射線カメラシステムにおいて、ユーザインターフェースと、該ユーザインターフェースに応答すると共に前記制御データ記憶媒体及び前記画像データ記憶媒体に結合されたサーバとを更に有し、前記サーバはユーザのコマンドに応答してｘｍｌ制御データファイル又はｘｍｌ画像データファイルにアクセスすることを特徴とする核放射線カメラシステム。
【請求項２０】
請求項１９に記載の核放射線カメラシステムにおいて、前記サーバがｘｍｌ制御データファイルを使用するスクリプトを実行することを特徴とする核放射線カメラシステム。
【発明の詳細な説明】
【技術分野】
【０００１】
本発明は、核放射線（ガンマ）カメラに係り、特には理解が容易であり且つ臨床医の要求の変化に容易に適応されるようなソフトウェアアーキテクチャを備える核放射線カメラに関する。
【背景技術】
【０００２】
伝統的に、核放射線カメラ（nuclear camera）、コンピュータトモグラフィスキャナ、磁気共鳴画像化システム及び超音波等の医療画像化システムから得られる医療画像データは、諸システム製造者により開発された私的画像データフォーマットにより規定されている。斯様な私的画像フォーマットは、異なるシステムにより生成される画像は各売り手により提供される私的看取／表示アプリケーションにより看取及び表示されねばならないことを意味している。ユーザは、実効的に、特定の製造者の私的フォーマットを使用することに拘束されてしまう。或る画像化システムにより生成された画像は、他の製造者のシステム上では容易に見ることはできない。これらの制限を理解して、ＮＥＭＡ通商機関はＤＩＣＯＭ（Digital Imaging and COmmunication in Medicine）規格として知られている全ての製造者が使用することができる画像フォーマットを編成及び規定した。医療画像化装置の諸製造者は、斯かる製造者の私的フォーマットを、ユーザが画像を種々の異なる表示装置上で交換及び見ることができるような共通のフォーマットに変換することができるトランスレータを提供することができる。
【０００３】
しかしながら、ＤＩＣＯＭのようなデータフォーマット規格は非互換性及び使用の容易さという問題を完全には解決していない。先ず、製造者の私的画像フォーマットを標準のフォーマットに変換することができるような変換ルーチンへアクセスしなければならない。変換ルーチンは、常に容易に利用可能であるとも、動作が例外なく成功するとは限らない。第２に、私的画像データフォーマットは、変更に対して典型的には柔軟性がない。変更は、臨床医が新たなユーザの要件を満たし又は医療画像化システムのアプリケーション、使用若しくは動作に新機能を組み込むのを可能にし、又は医療画像化システムの性能を改善するような新たなソフトウェア技術の使用を可能にするために、しばしば、望ましい。このように、私的画像フォーマットは、臨床医による画像化に新機能化を制限し、診療的生産性に対する改善を阻害する。
【０００４】
更に、ＤＩＣＯＭ等の画像データ規格はユーザが異なる製造者の医療画像化システムからのデータを交換し及び使用するのを可能にするが、これらの規格は全ての製造者が当該規格及び彼等の要件に同意した場合にのみ有効になる。規格に対する共通の同意を要するということは、規格に対する変更が迅速且つ容易にはなされ得ないことを意味する。提案された変更は、エンドユーザの利益のために実施される前に、製造者により議論され、検討され、同意されることを要する。
【発明の開示】
【発明が解決しようとする課題】
【０００５】
従って、医療画像化システムにとっては、これらの障害を克服し、且つ、医療分野により開発されるにつれて効率及び技術の進歩を容易に受け入れるようなソフトウェアアーキテクチャを有することが望ましい。
【課題を解決するための手段】
【０００６】
本発明の原理によれば、私的及び規格フォーマットの上記欠点に対処するような核放射線カメラが記述される。本発明のカメラのソフトウェアアーキテクチャは、該カメラの動作及び性能がユーザにより容易に変更されることを可能にする。変更されたデータは、ソフトウェア言語の自己記述的性質及び全てのユーザに対して容易に利用可能なフォーマット記述を提供する能力により、容易に交換することができる。好ましい実施例においては、上記ソフトウェアアーキテクチャは公共的に利用可能な公開されたフォーマットを含む。本発明の構成された実施例においては、核放射線のソフトウェアアーキテクチャは、データフォーマットへの変更をユーザ及び他の製造者により同様になされるのを可能にする公開フォーマットであるような拡張マークアップ言語（eXtensible Markup Language：ＸＭＬ）を使用する。該発明的ソフトウェアアーキテクチャは、データの種々の断片間の関係が該データを記憶する及び翻訳するのに使用されるフォーマット定義で捕捉されるという点で自己記述的であるようなデータを提供する。好ましい実施例においては、画像データ及び特に調査プロトコルのような核放射線カメラ制御情報の両者が公開拡張ソフトウェアアーキテクチャで定義され、ユーザが新しい画像データフォーマットのみならず新しいシステム制御手順をも交換するのを可能にする。
【発明を実施するための最良の形態】
【０００７】
図１を参照すると、本発明の原理に従って構成されたガンマカメラがブロック図により示されている。本発明のソフトウェアアーキテクチャは、単一検出器ガンマカメラ、又は米国特許第5,760,402号（Hug他）若しくは第6,150,662号（Hug他）に示されたもののようなデュアル検出器ガンマカメラの何れかと共に使用することができる。これらの特許に示されたデュアル検出器カメラは、カリフォルニア州ミルピタスのＡＤＡＣラボラトリーズからフォルテ（登録商標）及びスカイライト（登録商標）ガンマカメラとして市販されている。これらのカメラは１以上の検出器１０、１２を含み、これら検出器はシンチレーションイベントを感知すると共に、イベントデータを各検出器から高速直列バス２４ａ、２４ｂを介して収集制御サーバ１４へ伝送する。収集制御サーバ１４は、上記イベントデータを画像へと区分格納し、これら画像は次いでルータ２０により部門イーサネット２６に接続されてデータベースホスト２８に伝送される。データベースホスト２８は、収集された画像が通常待避されるコンピュータである。該データベースホストは処理及び看取用ステーションでもあり、該ステーションにおいては３Ｄ再生、再スライス処理及び処理された画像のユーザへの提示が実行される。ルータ２０は内部的カメラデータのトラフィックを、一層多様な部門のデータトラフィックから分離する。ユーザインターフェースパーソナルコンピュータ１６は、上記ガンマカメラの収集部に、ルータ２０及びイーサネットネットワーク２２ａ、２２ｂ、２２ｃにより結合されている。該パーソナルコンピュータ１６は画像データ収集を制御及び監視すると共に、追加の画像処理及び画像表示器１８を用いた表示機能も実行することができる。ユーザに対してＰスコープ及びエネルギスペクトルデータを表示器１８上に表示することができ、該ユーザが、例えば患者を当該カメラの前に適切に位置決めし、エネルギウインドウを正しく設定し、収集されたデータを再吟味するのを可能にする。
【０００８】
カメラ検出器が、図２に詳細に示されている。従来良く知られているように、ガンマカメラ検出器はコリメータ３２と、シンチレーションクリスタル３４と、光導体３６とからなっている。クリスタル３４に発生されると共に光導体３６を介して導かれる光子は、光電倍増管（ＰＭＴ）３８のアレイにより受信される。シンチレーションイベントは、通常、数個のＰＭＴを覆う領域によりわたって受信され、これら管の出力は感知されると共に当該放射イベントが受信された検出器上の位置を突き止めるために使用される。これらＰＭＴ出力信号は、プリアンプ４２により増幅され、Ａ／Ｄコンバータ４４によりデジタル的にサンプリングされる。各ＰＭＴからのサンプルはシンチレーションイベントの持続期間にわたり累積され、単一のイベントの検出には複数のＰＭＴが関わるので、複数のＰＭＴの斯かる累積された出力が、特定のシンチレーションイベントに関する全体のエネルギ信号を得るために累算される。各シンチレーションイベントからの検出されたエネルギデータ及び位置データは補正回路４６により修正され、該補正回路がエネルギ（Ｅ）及びイベント位置（Ｘ，Ｙ）に関する検出器出力を生成する。次いで、該イベントデータは画像処理のために区分け蓄積される。
【０００９】
ＰＣ１６及びユーザインターフェース表示器１８は、ユーザがキーボード及び／又はポインタ制御部を介して当該ガンマカメラシステムによるＳＰＥＣＴ画像化セッション又は他の選択された調査の指令のために所定の組のパラメータ（又はプロトコル）を選択し又は作成するのを可能にする。図３は、パラメータインターフェース画面、及びユーザにより画面上で選択し且つ表示されるデータ収集用核放射線カメラシステムの編成可能なパラメータを図示している。図３は、ユーザにより所望の研究のために編成可能なパラメータの幾つかを図示している。一旦設定されると、斯かる編成可能なパラメータは後の呼び出しのためにコンピュータファイルに待避し、参照することができることが分かる。次いで、斯かる記憶されたパラメータ又はプロトコルファイルは、呼び出されると共に他の研究のために使用され、かくして、同様の又は同一の研究のためにパラメータを再び入力する必要性を取り除く。図３に示されるパラメータファイルの名称は“GATED SPECT（ゲート処理されたＳＰＥＣＴ）”であり、符号３００により示されている。当該収集システムは、ユーザにより一旦指令されると、ユーザにより設定されたパラメータをカメラに中継して、特定の研究を初期化及び開始することが分かる。開始は、処理コマンド３５７の選択により実行される。このように、この種のユーザインターフェースは汎用的であると同時に、選択された研究プロトコルの実行の高度の自動化を提供する。
【００１０】
図４は、本発明の原理に従って構成されたガンマカメラにおける制御及び画像データの流れを図示している。収集制御サーバハードウェアには、制御サーバ５２及びデータサーバ５４が配置されている。これらのサーバは、ｘｍｌデータ記憶装置５６に記憶されたデータにアクセスすると共に斯かるデータを処理するように作用する。該装置５６に記憶されたデータは、患者予定データ５６ａ、プロトコルデータ５６ｂ、アイソトープデータ５６ｃ及びコリメータデータ５６ｄを含む。これらデータは、ガンマカメラ８２を作動及び制御するために使用される。好ましい実施例においては、これらデータは如何に詳述するように、ｘｍｌフォーマットで記憶される。上記制御サーバは、装置５６に記憶されたデータを使用すると共に、これもｘｍｌデータ記憶装置５６に記憶された“スクリプト”と呼ばれるプログラム５２ａを実行して、ガンマカメラ８２の動作を制御する。上記制御及びデータサーバは、共に、ユーザインターフェースＰＣ１６上で動作するグラフィックユーザインターフェース（ＧＵＩ）クライアントアプリケーション６０を介してユーザの制御の下で動作する。
【００１１】
動作時に、ユーザはプロトコルをＧＵＩクライアント６０を介して特定の患者に関連付けることにより、調査（検査）を定義する。該プロトコルはデータサーバ５４から到来する。上記ＧＵＩクライアントは、次いで、該調査を制御サーバ５２に送る。該調査用のプロトコルは、該プロトコルに添付されたスクリプト名を有し、上記制御サーバが、該サーバのインタープリタ内で実行するスクリプトを識別するのを可能にする。該スクリプトは、上記プロトコルを実施して必要に応じて計算を行うように実行され、ユーザからアジマス（方位）の数及びフレーム当たりの時間等の特定のプロトコルパラメータを得ることができる。また、該スクリプトは、当該調査の種々の時点において、当該患者の周りを回転する際に前記検出器により追跡されるべき関心のある点の選択等の所要の更なる入力をユーザに促す。
【００１２】
構成された実施例においては、上記スクリプトはＥＡＳＬと呼ばれるスクリプト言語で書かれる。ＥＡＳＬは、本発明の譲受会社によりＬＥＸ及びＹＡＣＣ等のスクリプト言語を書くための容易に利用可能なツールを使用して開発された。ＹＡＣＣはＵＮＩＸに基づくツールであり、プログラマが、スクリプトを翻訳するためにＥＡＳＬで使用された文法用語をコンパイルするのを可能にする。ＥＡＳＬプログラムはスクリプト用のインタプリタであり、該スクリプトはｘｍｌファイルを使用し、制御サーバ５２に記憶される。
【００１３】
本例では、カメラ検出器のヘッド１及びヘッド２により発生されたイベントデータは上述したように処理されて、ビン処理部（binner）７０に転送される。該ビン処理部は制御サーバ５２と対話して、画像データをｘｍｌフォーマットにフォーマットする。次いで、該フォーマットされた画像データは、如何に詳述するように更に処理され、転送され又は記憶される。
【００１４】
図５は、ｘｍｌ画像ファイルの一形態の編成を図示している。該画像ファイルは、患者の識別情報９０、当該画像を生成した核放射線調査９２の性質、該調査の系列９４及び画像情報９６等の当該画像に関する情報を含んでいる。図示においては、この情報は全て、本例では<ADACImage.xml>と呼ぶｘｍｌ画像ファイル１００に格納される。該ファイルは、上述した患者及び調査の情報、並びに１０２で示す画像データを含んでいる。該ファイルは、上記画像に関係すると共に互いに関係しても良いような他の情報１１２及び１１４を含むこともできる。これらの情報の意味及び斯かる情報の関係は、ドキュメントタイプ定義（ＤＴＤ）ファイル１１０と呼ばれる定義ファイルに収集される。画像ファイル１００はＤＴＤファイル１１０に対するポインタを有し、プロセッサ又はビューアは該ポインタにより当該ＤＴＤファイルにアクセスして、画像ファイル内の情報を翻訳することができる。上記ポインタは、如何に説明するように当該ガンマカメラ上で動作する他のファイル又はディレクトリに対するものとすることもできる。また、上記ポインタは当該ＤＴＤファイルを見付けることが可能なロケーションのＵＲＬとすることもできる。例えば、当該画像がブラウザにより見られている場合、該ブラウザは示されたＵＲＬにおけるＤＴＤと実行中に対話して、画像ファイル１００に記憶された情報１１２及び１１４を翻訳及び理解することができる。
【００１５】
<ADACImage.xml>ファイルの一例が、表として示す付録（Appendix）１に示されている。該ファイルの第２行が、当該ｘｍｌ画像ファイル内のデータエレメントの関係を定義するＤＴＤファイルADACImage.dtdに対するポインタを含んでいることが分かる。該ファイルの最初の部分は、使用される装置及び検出器、使用される再生処理、患者情報、アイソトープ線量等を含むような９０〜９４に示すタイプの情報を含んでいる。該ファイルの終わりに向かってのものは、フレームピクセル情報のブロックである。
【００１６】
<ADACImage.xml>ファイルを翻訳するＤＴＤファイルの最初の部分が、表として示す付録（Appendix）２に示されている。この<ADACImage.dtd>ファイルは、<ADACImage.xml>ファイルの第２行において指し示されており、リーダ（reader）に対して<ADACImage.xml>ファイルの翻訳に関する指示を提供する。この特定のＤＴＤファイルは、該ＤＴＤファイルの目的、作成及びリビジョン履歴に関する情報で開始している。これには、当該image.xmlファイルの種々のエレメントの定義が続いている。<ADACImage.xml>ファイルは、<ADACImage.dtd>ファイルに記述される規則に従って書かれている。
【００１７】
上記ｘｍｌファイルは、容易に理解可能な文法的用語で書かれていることが分かる。ｘｍｌファイルによれば、ユーザは当該ｘｍｌファイル構造に対して変更を加え、当該カメラシステムにより既に生成されたデータに対してユーザが望む情報を追加することが可能である。また、ユーザは当該ガンマカメラにより実行される調査プロトコル等の、当該スクリプトにより実行されるアルゴリズムに対して変更を加えることができる。当該ｘｍｌファイルのガンマに基づく性質は、例えば、新たに定義されたｘｍｌファイルを追加し又は既存のものを変更して特別仕立ての調査プロトコルを作成するのを容易にする。画像ファイルは、病院のユーザにより、例えば当該病院の固有のコード及び画像データに対するアクセス番号等の情報を追加するために変更することができる。その場合、画像により参照されるＤＴＤファイルは、該アクセス番号の特定の画像及び患者に対する関係を定義する。ｘｍｌは公開されたフォーマットであるので、これらの変更をなす能力は全てのユーザに対して利用可能となる。殆どの場合において、これらの変更は、当該データにおける種々のエレメントが相互にどの様に関係するかを定義するフォーマットと共に、上記ｘｍｌ及びＤＴＤファイルの自己記述的性質により、これらｘｍｌファイル自身において自明である。ｘｍｌでフォーマットされたファイルは、ブラウザ上又はテキストエディタ上で見ることができ、これらは当該ファイルの文法的テキストを明らかにする。また、ｘｍｌファイルはxmlspy等の市販のｘｍｌビューアにより見ることもできる。このようにして、当該ファイルのエレメント間の関係は、斯かるビューアにより関係の階層構造が自動的に示されるようにして見ることができる。このように、特定のアプリケーションは当該データに関して定義された全ての関係を利用することができる。
【００１８】
ｘｍｌファイル、<protocol.xml>の他の例の一部が、表として示す付録（Appendix）３に示されている。該<protocol.xml>ファイルは、ガンマカメラが“ＭＩＢＩ”と呼ばれる調査プロトコルを実施するのを可能にするために、付属されたスクリプト名を有している。プロトコル内には種々のステップがあり、各ステップは例えば静止画、ストレス心臓調査又は全身調査等に関する異なる収集ステップを表している。図示した<protocol.xml>ファイルにおいては、当該調査の異なる特性は“TRAITS”と呼ばれ、これらは、<protocol.xml>ファイルにより参照される“protocol.dtd”ファイルにより翻訳及び定義される。典型的なTRAITSは、検出器の回転、各検出器の向きにおける時刻、各ステップにおいて収集されたフレーム及び使用されるアイソトープ線量等の特性を含む。次いで、定義されたTRAITSは当該ファイルにおいて“<acquisitionstep>”として識別されるプロトコルのステップにおいて使用される。
【００１９】
付録４は、全身核放射線調査を実施するための“tbbase.asl”と呼ばれるＥＡＳＬスクリプトを示している。示されたスクリプトは、前述したＥＡＳＬスクリプト言語で書かれている。該スクリプトは、当該スクリプトをユーザにとり容易に理解可能にするようなコメントラインを含んでいることが分かる。また、該スクリプトは、調査が進むにつれてユーザに対してＧＵＩ上に表示されるプロンプト及びメッセージを制御することが分かる。本発明のガンマカメラにおいては、スクリプトが前記インタプリタにロードされ、当該カメラの動作を制御するプロトコルを実行するために使用される。
【００２０】
データ記憶装置５６に記憶されるファイルのディレクトリ解像構造の例が図６ないし９に示されている。これら例において、ディレクトリ/export/home/atlas/は、図６に示されるように２つのタイプのデータを含んでいる。製造者によりガンマカメラと共に出荷されるソフトウェアは、etc/ディレクトリに記憶される。これは、コンフィギュレーションファイル、デフォルトプロトコル、デフォルトユーザ、デフォルトアイソトープ及びコリメータ等を含んでいる。これは、制御サーバ５２、データサーバ５４及びビン処理部７０により使用される主要なデータであり、当該ガンマカメラを動作させるために要する完全な組のファイルを有している。データ／ディレクトリは、ユーザにより作成されたデータの記憶のためにも設けられる。これは、収集された画像データ、ユーザ定義プロトコル、患者の予定、アイソトープ、エネルギウィンドウの設定、及びユーザにより作成又は変更された他のファイルを含む。
【００２１】
図７は、製造者により供給されるディレクトリetc/の更なる詳細を示している。collimators.xmlファイルは、当該カメラによりサポートされる全てのコリメータのリストを含んでいる。isotopes.xml及びenergywindowsets.xmlは、アイソトープ及びそれらの物理的特性並びにデフォルトのエネルギウインドウ設定のリストを含んでいる。protocols.xmlは標準の調査プロトコルのリストを含んでいる。systems.xmlは、当該カメラにより使用されるシステム及びこれらのシステムがクライアントであるか又はサーバであるのリストを含んでいる。users.xmlは当該カメラのデフォルトユーザのリストを含んでいる。
【００２２】
ユーザにより作成されるデータ用のディレクトリdata/が図８に示されている。このディレクトリは、etc/ディレクトリのものに対応するファイルを有しているが、この場合、これらファイルはユーザにより作成されたか又は変更されたものである。例えば、ユーザは製造者により供給されたプロトコルを取り込み、該プロトコルをユーザが実行したい特定の調査用に変更することができる。該変更されたプロトコルは、data/ディレクトリにprotocols.xmlファイルとして記憶され、ユーザが該調査を実行したい際に該ユーザにより呼び出され、実行され得る。斯かるユーザにより作成されたデータは、製造者により供給されるデータに優先する。クライアントがデータサーバ５４からデータを要求する場合、該サーバは先ずdata/ディレクトリにアクセスして、ユーザにより作成されたファイルが該要求を満たすか判断する。ユーザにより作成されたファイルが見付からない場合にのみ、該サーバはetc/ディレクトリ内のファイルを捜す。
【００２３】
両ディレクトリとも、対応するｘｍｌファイルにおける定義を翻訳するために使用される、斯かるｘｍｌファイルに対応するＤＴＤファイルを記憶することが分かる。例えば、patient.dtdファイルは、患者の来訪及び調査情報がどの様に書き出されるか、即ちpatients.xmlファイルに含まれる種々の情報間のフォーマット及び関係、を定義する。同様に、protocol.dtdは当該プロトコル情報がどの様に書き出され及び翻訳されるかを定義する。ＤＴＤファイルは、xmlspyのようなｘｍｌビューアを使用してｘｍｌファイルを見るために使用され、他の例としてｘｍｌファイルを付録に示されるような形態で見るためにテキストエディタを使用することもできる。
【００２４】
図９は、当該カメラによるimage.xmlファイルの生成及び記憶を図示している。プロトコルの所与の収集ステップに関して収集が完了した場合、ビン処理部７０は特定の調査の結果をｘｍｌフォーマットで書き出す。該image.xmlファイルは上記ビン処理部によりADACImage.dtdファイルにおける規則に従って書かれる。本例は、data/Patient/ディレクトリの下に特定の患者名<patient_name>で記憶された画像ファイル015N0000.xmlを示している。image.xmlファイルは“xml2peg”トランスレータプログラムの助けにより画像フォーマット015N0000.imgに変換され、x2pout/ディレクトリの下に記憶される。このディレクトリは、当該患者の画像の外部ユーザの要求に応答してデータベースホスト２８によりアクセスされる。特定の画像が上記データベースホストにエクスポートされた場合、該画像はSentToDatabase/ディレクトリの下に記憶され、該エクスポートの確認がデータサーバ５４に対してステータスの更新として送られる。このように、画像はｘｍｌフォーマット及び上記データベースホストによる記憶、伝送又は表示にとり最も効率的な画像フォーマットの両方で利用可能である。
【表１】
2005501232.tif 000003
2005501232.tif 000004
2005501232.tif 000005
2005501232.tif 000006
2005501232.tif 000007
2005501232.tif 000008
2005501232.tif 000009
2005501232.tif 000010
2005501232.tif 000011
2005501232.tif 000012
2005501232.tif 000013
2005501232.tif 000014
2005501232.tif 000015
2005501232.tif 000016
2005501232.tif 000017
【図面の簡単な説明】
【００２５】
【図１】図１は、本発明の原理に従い構成されたガンマカメラをブロック図により示す。
【図２】図２は、ガンマカメラの検出器をブロック図により示す。
【図３】図３は、ゲート処理されたＳＰＥＣＴ調査のためのガンマカメラプロトコル設定画面を図示する。
【図４】図４は、本発明の原理に従い構成されたガンマカメラにおける制御及び画像データの流れを図示する。
【図５】図５は、本発明の構成された実施例における患者データの構成を図示する。
【図６】図６は、本発明の好ましい実施例のソフトウェアアーキテクチャのディレクトリ構造を示す。
【図７】図７は、本発明の好ましい実施例のソフトウェアアーキテクチャのディレクトリ構造を示す。
【図８】図８は、本発明の好ましい実施例のソフトウェアアーキテクチャのディレクトリ構造を示す。
【図９】図９は、本発明の好ましい実施例のソフトウェアアーキテクチャのディレクトリ構造を示す。
【図１】
2005501232.tif 000018
【図２】
2005501232.tif 000019
【図４】
2005501232.tif 000020
【図５】
2005501232.tif 000021
【図７】
2005501232.tif 000022
【図８】
2005501232.tif 000023
【図９】
2005501232.tif 000024
【国際公開パンフレット】
2005501232.tif 000025
2005501232.tif 000026
2005501232.tif 000027
2005501232.tif 000028
2005501232.tif 000029
2005501232.tif 000030
2005501232.tif 000031
2005501232.tif 000032
2005501232.tif 000033
2005501232.tif 000034
2005501232.tif 000035
2005501232.tif 000036
2005501232.tif 000037
2005501232.tif 000038
2005501232.tif 000039
2005501232.tif 000040
2005501232.tif 000041
2005501232.tif 000042
2005501232.tif 000043
2005501232.tif 000044
2005501232.tif 000045
2005501232.tif 000046
2005501232.tif 000047
2005501232.tif 000048
2005501232.tif 000049
2005501232.tif 000050
2005501232.tif 000051
2005501232.tif 000052
2005501232.tif 000053
2005501232.tif 000054
2005501232.tif 000055
2005501232.tif 000056
2005501232.tif 000057
2005501232.tif 000058
【国際公開パンフレット（コレクトバージョン）】
2005501232.tif 000059
2005501232.tif 000060
【国際調査報告】
2005501232.tif 000061
2005501232.tif 000062
2005501232.tif 000063